(57)【特許請求の範囲】
【請求項１】
記録媒体に記録された画像信号を再生する再生手段と、前記再生手段により再生された画像信号を他の記録媒体に記録する記録手段とを備える編集システムにおいて、
前記再生手段により再生された画像信号を前記他の記録媒体に対して記録するか否かを任意に選択する選択スイッチを備え、
前記再生手段により所定時間長の画像信号を再生する度に再生を一時停止し、前記画像信号の再生一時停止状態にて前記選択スイッチによる選択がなされたことに応じて再び前記画像信号の再生を開始する処理を実行することにより前記記録媒体に記録された画像信号のうち前記他の記録媒体に対して記録する部分を選択すると共に、前記選択された部分の画像信号のみを前記再生手段により再生すると共に前記再生手段による前記選択された部分の画像信号の再生に連動して前記記録手段により前記選択された部分の画像信号を前記他の記録媒体に記録することを特徴とする画像編集システム。
【発明の詳細な説明】
【０００１】
【発明の属する技術分野】
本発明は、ビデオカメラで撮影した画像を編集する画像編集システムに関する。
【０００２】
【従来の技術】
従来、撮影した画像を編集する方法は主として二つあった。
【０００３】
まず、一つは撮影した画像を記録するビデオカメラと家庭内にあるビデオデッキとで画像を編集する方法であり、これはビデオカメラの再生ボタンとビデオデッキの録画ボタンを同時にスタートさせて記録したい画像のみをダビングし、不要な画像はビデオデッキをポーズの状態にして、ビデオカメラを再生し続けて、再び記録したい画像になった時にビデオデッキを記録状態とする操作を行うものである。
【０００４】
また、もう一つは画像の編集を編集機で行う方法であり、これは特開平５−５４６０２号公報及び特開平６−１９５８０１号公報に開示されている。
【０００５】
【発明が解決しようとする課題】
しかし、撮影した画像を記録するビデオカメラと家庭内にあるビデオデッキとで画像を編集する方法は、記録したい画像の直前に画像を再生しているビデオカメラを停止し、次にビデオカメラの再生ボタンとビデオデッキの録画ボタンとを同時に押すという煩雑な操作を行わないと画像を編集できなかった。また記録したい画像は見てから分かるものであるから、見てはテープをまき戻して記録するという繰り返しを行うという煩雑な操作を行わなければならなかった。
【０００６】
また、編集を容易に行うことができる編集機は一般ユーザが使用するには非常に高価である。
【０００７】
そこで、本発明の目的は、上記問題を解消すべく、編集機を必要とせずに手軽な操作で画像を編集することができる画像編集システムを提供することにある。
【０００８】
【課題を解決するための手段】
上記目的を達成するため、請求項１の画像編集システムは、記録媒体に記録された画像信号を再生する再生手段と、前記再生手段により再生された画像信号を他の記録媒体に記録する記録手段とを備える編集システムにおいて、前記再生手段により再生された画像信号を前記他の記録媒体に対して記録するか否かを任意に選択する選択スイッチを備え、前記再生手段により所定時間長の画像信号を再生する度に再生を一時停止し、前記画像信号の再生一時停止状態にて前記選択スイッチによる選択がなされたことに応じて再び前記画像信号の再生を開始する処理を実行することにより前記記録媒体に記録された画像信号のうち前記他の記録媒体に対して記録する部分を選択すると共に、前記選択された部分の画像信号のみを前記再生手段により再生すると共に前記再生手段による前記選択された部分の画像信号の再生に連動して前記記録手段により前記選択された部分の画像信号を前記他の記録媒体に記録することを特徴とする。
【００１４】
【発明の実施の形態】
図１は本発明の実施の形態に係る画像編集システムの構成を示す。この画像編集システムは主として撮影画像記録手段としてのビデオカメラ１と、再生画像記録手段としてのビデオデッキ６１と、テレビ７１とを備えている。
【００１５】
ビデオカメラ１は被写体を撮影する撮影レンズ２と、撮影された画像を表示するファインダー３と、音声を集音するマイク４と、ビデオカセット挿入口５と、画像及びステレオ音声用の信号を出力する３端子分の出力端子６と、録画、再生を選択するダイアル７と、スタンバイスイッチ８と、録画スタートボタン９と、制御手段としての再生スイッチ部１０と、リモコン用受光・投光窓１１とを備えている。スタンバイスイッチ８がオンの時にはファインダー３に画像が表示される。録画スタートボタン９を１度押すと録画がスタートし、さらにもう１度押すと録画が停止する。
【００１６】
ビデオデッキ６１はＶＨＳ等のビデオデッキであり、再生、記録、停止等の操作部材で構成されている操作部６２と、出力端子６からの画像及びステレオ音声用の信号を入力する３端子分の入力端子６３と、カセット６５の出し入れを行うカセット挿入口６４と、送信部６７を介してビデオデッキ６１をコントロールするリモコン６６とを備えている。入力端子６３はコード５１を介して出力端子６に接続される。
【００１７】
テレビ７１はスピーカ７２，７３とを備え、コード８１を介してビデオデッキ６１と接続される。
【００１８】
図２は図１の再生スイッチ部１０の構成を示す。再生スイッチ部１０は、再生ボタン２１と、巻戻しボタン２２と、早送りボタン２３と、停止ボタン２４と、一時停止ボタン２５と、編集再生ボタン２６と、１領域戻りボタン２７とを備えている。
【００１９】
さらに、再生スイッチ部１０は○（マル）の表示がしてある選択ボタン２８と、×の表示がしてある非選択ボタン２９と、選択ボタン２８で選択された選択領域（以下「〇領域」という）と非選択ボタン２９で選択された非選択領域（以下「×領域」という）とを選択し終えたテープを再生する時に○領域のみを再生する編集再生開始ボタン３０と、入力端子（不図示）から入ってきた画像をこのビデオカメラ１で録画する時に使用する録画ボタン３１と、ビデオカメラ１が有しているリモコン機能で学習モードと使用モードとを選択する選択スイッチ３２と、ビデオカメラ１をリモコン送信機として使用する時のモード切り替えスイッチ３３とを備えている。再生スイッチ部１０は、モード切り替えスイッチ３３がオンの時には学習した機器のリモコンとして働く。学習リモコンの詳細については公知の技術なので省略する。選択ボタン２８及び非選択ボタン２９は特許請求の範囲に記載されている決定手段を構成する。
【００２０】
図３は図１のビデオカメラ１の回路構成を示す。
【００２１】
ビデオカメラ１は被写体を取り込むズームレンズユニット１０１と、撮像素子であるＣＣＤ１０２と、ズームレンズユニット１０１から取り込まれた画像信号を処理するデジタル信号処理回路１０３と、デジタル信号処理回路１０３から入力された信号を公知の標準カラーテレビジョンフォーマットの複合信号に変換してＶ−ＯＵＴ１１１に出力し、マイク１１２から入力された音声信号及び画像信号をミックスするビデオ・オーディオ信号処理回路及びヘッドアンプ１０４と、動作タイミングのシステムをつかさどり、操作部材１１０の信号等も読み取るように構成されているマイコン１０５とを備えている。
【００２２】
また、ビデオカメラ１はオートフォーカス時にレンズを駆動するオートフォーカスモータ１０７用のオートフォーカス駆動回路１０６と、ズームを行うためにズームモータ１０９を駆動するズームモータ駆動回路１０８と、ビデオカメラの電源であり、各ユニットや素子に電源を供給している電源回路１１３と、画像を表示するファインダーの役目を行うバックライト及び液晶パネル１１５と、バックライト及び液晶パネル駆動回路１１４とを備えている。
【００２３】
さらに、ビデオカメラ１はビデオ・オーディオ信号処理回路及びヘッドアンプ１０４を介して信号をテープカセット１１８に書き込むヘッド１１７ａと、テープカセット１１８が入るように構成されており、ヘッド１１７ａやモータ等を内蔵しているＶＴＲメカ１１７と、テープカセット１１８のテープを駆動する回路等からなるメカ駆動回路１１６と、学習リモコンの機能を有しているリモコン受光・投光センサー１２０とを備えている。
【００２４】
また、ビデオカメラ１は○領域及び×領域を示す信号と、ビデオカメラ１で使用したテープカセット１１８を特定する信号とを記憶する記憶手段としての不揮発性メモリ（図示しない）を備えている。○領域及び×領域の判別はマイコン１０５が行い、この判別によりビデオデッキ６１に記録される画像と記録されない画像とが仕分けされる。
【００２５】
図４は図１のビデオカメラ１の編集再生処理のプログラムを示す。
【００２６】
まず、ユーザが編集再生ボタン２６をオンすると（ステップＳ２０１）、テープカセット１１８の再生がスタートする（ステップＳ２０２）。
【００２７】
次に、ステップＳ２０３において、マイコン１０５で所定の秒時をカウントし、Ｎ秒（Ｎは自然数）に達したか否かを判別し、Ｎ秒に達した場合にはテープカセット１１８の再生を停止する（ステップＳ２０４）。
【００２８】
次いで、ステップＳ２０５において、テープカセット１１８の再生した部分を再確認するか否かを判別し、再確認する場合には１領域戻りボタン２７を使用して再生した秒時分だけ巻戻し（ステップＳ２０６）、ステップＳ２０２に戻る一方、再確認しない場合には、ステップＳ２０７において、○の表示がしてある選択ボタン２８がオンになったか否かを判別する。選択ボタン２８がオンになった場合には、○領域が設定されてステップＳ２０２に戻り、選択ボタン２８がオンでない場合には、ステップＳ２０８で、×の表示がしてある非選択ボタン２９がオンになったか否かを判別する。非選択ボタン２９がオンになった場合には、×領域が設定されてステップＳ２０２に戻り、非選択ボタン２９がオンでない場合にはステップＳ２０７に戻る。上記ステップＳ２０７又はステップＳ２０８において、選択ボタン２８又は非選択ボタン２９をオンにするのは、テープカセット１１８の再生した部分を後述するビデオデッキ６１に記録する際に再生するか否かを決定するためである。
【００２９】
上記○領域及び×領域を判別する信号と、ビデオカメラ１で使用したテープカセット１１８を特定する信号とはビデオカメラ１が備えている不揮発性メモリに送信される。
【００３０】
上記ステップＳ２０３でＮ秒に達していない場合には、ステップＳ２０９において、マイコン１０５が記録一時停止信号を受信したか否かを判別する。記録一時停止信号とは、ビデオカメラ１で撮影中にスタートボタン９を２度押して記録を一時停止したときにマイコン１０５に送出される信号である。記録一時停止信号を受信した場合にはステップＳ２０４に進み、テープカセット１１８の再生を停止する一方、記録一時停止信号を受信していない場合には、ステップＳ２１０において、停止ボタン２４がオンであるか否かを判別する。停止ボタン２４がオンである場合にはテープカセット１１８の再生を停止する（ステップＳ２１１）一方、停止ボタン２４がオンでない場合には、ステップＳ２１２において、テープカセット１１８に再生する部分があるか否かを判別する。テープカセット１１８に再生する部分がある場合にはステップＳ２０３に戻り、テープカセット１１８に再生する部分がない場合にはテープカセット１１８の再生を停止する（ステップＳ２１１）。
【００３１】
上述したステップＳ２０２〜ステップＳ２０８の処理を繰り返すことで、テープカセット１１８の再生する全ての部分を後述するビデオデッキ６１に記録する際に、再生するか否かを決定することができる。
【００３２】
また、テープカセット１１８を巻き戻して、編集再生ボタン２６を押すと○領域のみが再生され、これをビデオデッキ６１で記録すれば簡単に編集した画像となる。
【００３３】
図５は図１のビデオカメラ１で再生された画像を図１のビデオデッキ６１で記録処理するプログラムである。
【００３４】
まず、ビデオカメラ１がビデオデッキ６１をコントロールするために、ビデオデッキ６１のリモコン６６からリモコンコードを学習する（ステップＳ３０１）。
【００３５】
次に、ユーザが編集再生開始ボタン３０をオンすると（ステップＳ３０２）、テープカセット１１８の再生がスタートする（ステップＳ３０３）。
【００３６】
次いで、ステップＳ３０４において、マイコン１０５が不揮発性メモリから○領域及び×領域を判別する信号を読み出し、テープカセット１１８の再生する部分が○領域であるか否かを判別する。
【００３７】
テープカセット１１８の再生する部分が○領域でない場合には、ビデオカメラ１がリモコン用受光・投光窓１１よりビデオデッキ一時停止信号を送出し、ビデオデッキ６１の録画を停止させて（ステップＳ３０５）、○領域でないテープカセット１１８の再生された部分を早送りして（ステップＳ３０６）、ステップＳ３０４に戻り、再生する部分が○領域であるか否かを判別する。
【００３８】
一方、テープカセット１１８の再生された部分が○領域である場合には、ビデオカメラ１がリモコン用受光・投光窓１１よりビデオデッキ録画信号を送出し、ビデオデッキ６１の録画を開始させて（ステップＳ３０７）、ステップＳ３０８において、マイコン１０５がテープカセット１１８の○領域が終了したか否かを判別し、○領域が終了した時点でステップＳ３０４に戻り、次に再生する部分が○領域であるか否かを判別する。
【００３９】
このように、ステップＳ３０４〜Ｓ３０８までの処理を繰り返し行い、テープカセット１１８の再生する部分がなくなった時点で本処理を終了する。
【００４０】
上述したように、本実施の形態では、マイコン１０５が不揮発性メモリから○領域及び×領域を判別する信号を読み出し、テープカセット１１８の再生する部分が○領域であるか否かを判別し（ステップＳ３０４）、テープカセット１１８の再生する部分が○領域でない場合には、ビデオカメラ１がリモコン用受光・投光窓１１よりビデオデッキ一時停止信号を送出し、ビデオデッキ６１の録画を停止させて（ステップＳ３０５）、○領域でないテープカセット１１８の再生された部分を早送りして（ステップＳ３０６）、ステップＳ３０４に戻り、次に再生する部分が○領域であるか否かを判別する一方、テープカセット１１８の再生された部分が○領域である場合には、ビデオカメラ１がリモコン用受光・投光窓１１よりビデオデッキ録画信号を送出し、ビデオデッキ６１の録画を開始させて（ステップＳ３０７）、マイコン１０５がテープカセット１１８の○領域が終了したか否かを判別し（ステップＳ３０８）、○領域が終了した時点でステップＳ３０４に戻り、次に再生する部分が○領域であるか否かを判別するので、記録したい画像の直前に再生しているビデオカメラ１を停止し、次にビデオカメラ１の再生ボタン２１とビデオデッキ６１の録画ボタンとを同時に押すという非常に煩雑な操作を行わなずに、且つ編集機を必要とせずに手軽な操作で画像を編集することができる。
【００４１】
尚、本実施の形態では、ビデオカメラ１に不揮発性メモリを設けて、マイコン１０５が不揮発性メモリから○領域及び×領域を判別する信号を読み出し、テープカセット１１８の再生する部分が○領域であるか否かを判別したが、○領域及び×領域を決定する際に、テープカセット１１８に○領域及び×領域を判別する信号を記録してもよい。この場合、画像信号及び音声信号を記憶するエリア以外のサブコードエリアを備えたテープカセットであれば、このサブコードエリア等に○領域及び×領域を判別する信号を記録し、サブコードエリアを備えていないテープカセットであれば、○領域及び×領域判別する信号を音声信号を記憶するエリア等に記録する。
【００４２】
【発明の効果】
以上詳細に説明したように、請求項１の画像編集システムによれば、撮影画像記録手段は、記録媒体に記録された画像信号を、所定時間長を単位として再生してから停止し、この単位所定時間長の選択領域の画像を再生画像記録手段に記録させるか否かを選択させる動作を繰り返すことにより、記録媒体に記録された画像信号全体から、再生画像記録手段に記録させる編集部分を選択する。そして、撮影画像記録手段は、記録媒体に記録された画像信号の編集部分を再生しているときだけ、再生画像記録手段に、画像信号の記録を行わせるよう連動させる。これにより、記録したい画像の直前に記録媒体に記録された画像の再生と記録手段の画像の記録とを同時に実行するという煩雑な操作を必要とせずに、且つ編集機を必要とせずに手軽な操作で画像を編集することができる。
【図面の簡単な説明】
【図１】本発明の実施の形態に係る画像編集システムの構成図である。
【図２】図１における再生スイッチ部１０の構成図である。
【図３】図１におけるビデオカメラ１の回路構成図である。
【図４】図１におけるビデオカメラ１の編集再生処理を示すフローチャートである。
【図５】図１におけるビデオカメラ１で再生された画像を図１におけるビデオデッキ６１で記録する処理を示すフローチャートである。
【符号の説明】
１  ビデオカメラ
２  撮影レンズ
３  ファインダー
４  マイク
５  ビデオカセット挿入口
６  出力端子
７  ダイアル
８  スタンバイスイッチ
９  録画スタートボタン
１０  再生スイッチ部
１１  リモコン用受光・投光窓
【図１】
0004046814.tif 000002
【図２】
0004046814.tif 000003
【図３】
0004046814.tif 000004
【図４】
0004046814.tif 000005
【図５】
0004046814.tif 000006